(57)【要約】      （修正有）【課題】画像形成装置からネットワークを通して画像データを送信するとき、受信側の携帯電話機が所望するときのみ、画像データに広告情報が添付されて送信されるようにする。【解決手段】広告情報管理装置５は、一つ又は複数の広告情報を取得して表示する広告情報表示部１２と、携帯電話機６に内蔵されたＩＣカードに記録された情報を読み取ると共に、そのＩＣカードに新たな情報を書き込むリード・ライト部７と、リード・ライト部によってＩＣカードに記録された情報を読み取ることにより、広告情報表示部によって表示された広告情報をＩＣカードに送信する送信部とを備えて構成されている。【選択図】図７
2008203838.tif 000002
【特許請求の範囲】
【請求項１】
一つ又は複数の広告情報を取得して表示する広告情報表示部と、
ＩＣカードに記録された情報を読み取ると共に該ＩＣカードに新たな情報を書き込むリード・ライト部とを備え、
前記リード・ライト部は、前記ＩＣカードに記録された情報を読み取ることにより、前記広告情報表示部によって表示されている広告情報を前記ＩＣカードに送信することを特徴とする広告情報管理装置。
【請求項２】
請求項１に記載の広告情報管理装置において、
前記広告情報表示部は、取得された複数の広告情報のうち更新日時が新しい順に表示することを特徴とする広告情報管理装置。
【請求項３】
請求項１に記載の広告情報管理装置において、
ユーザの指示に基づいて、前記広告情報表示部に表示される広告情報を複数の広告情報から検索することができる検索部を備え、
前記広告情報表示部は前記検索部により検索された広告情報を表示することを特徴とする広告情報管理装置。
【請求項４】
請求項１に記載の広告情報管理装置において、
画像を読み取る画像読み取り部と、
前記画像読み取り部により読み取られた画像から広告情報に関する検索キーを抽出するＯＣＲ部とを備え、
前記広告情報表示部は前記検索キーに基づいて、複数の広告情報の中から選択された所定の広告情報を表示することを特徴とする広告情報管理装置。
【請求項５】
請求項４に記載の広告情報管理装置において、
前記検索キーに基づいて、複数の広告情報の中から所定の広告情報を検索して選択するキー検索部を備えていることを特徴とする広告情報管理装置。
【請求項６】
請求項１に記載の広告情報管理装置において、
ユーザを認証するユーザ認証部と、
前記ユーザ認証部により認証されたユーザの広告情報取得履歴を保存する広告情報取得履歴保存部とを備え、
前記広告情報表示部は、前記広告情報取得履歴保存部により保存された履歴に基づいて、複数の広告情報の中から選択された所定の広告情報を表示することを特徴とする広告情報管理装置。
【請求項７】
請求項６に記載の広告情報管理装置において、
前記広告情報取得履歴保存部により保存された履歴に基づいて、複数の広告情報の中から所定の広告情報を選択する広告情報選択部を備えていることを特徴とする広告情報管理装置。
【請求項８】
広告情報の管理をコンピュータに実行させる広告情報管理方法であって、
一つ又は複数の広告情報を取得して表示する広告情報表示ステップと、
ＩＣカードに記録された情報を読み取る情報読み取りステップと、
前記情報読み取りステップによって前記ＩＣカードに記録された情報を読み取ることにより、前記広告情報表示ステップによって表示されている広告情報を前記ＩＣカードに送信する送信ステップと
を含んでなる広告情報管理方法。
【請求項９】
請求項８に記載の広告情報管理方法において、
前記広告情報表示ステップは、取得された複数の広告情報のうち更新日時が新しい順に表示することを特徴とする広告情報管理方法。
【請求項１０】
請求項８に記載の広告情報管理方法において、
ユーザの指示に基づいて、前記広告情報表示ステップで表示された広告情報を複数の広告情報から検索する検索ステップを含み、
前記広告情報表示ステップは、前記検索ステップによって検索された広告情報を表示することを特徴とする広告情報管理方法。
【請求項１１】
請求項８に記載の広告情報管理方法において、
画像を読み取る画像読み取りステップと、
前記画像読み取りステップで読み取られた画像から広告情報に関する検索キーを抽出するＯＣＲ認識ステップとを含み、
前記広告情報表示ステップは、前記検索キーに基づいて、複数の広告情報の中から選択された所定の広告情報を表示することを特徴とする広告情報管理方法。
【請求項１２】
請求項１１に記載の広告情報管理方法において、
前記ＯＣＲ認識ステップで抽出された前記検索キーに基づいて、複数の広告情報の中から所定の広告情報を検索して選択するキー検索ステップを備えていることを特徴とする広告情報管理方法。
【請求項１３】
請求項８に記載の広告情報管理方法において、
ユーザを認証するユーザ認証ステップと、
前記ユーザ認証ステップで認証されたユーザの広告情報取得履歴を保存する広告情報取得履歴保存ステップとを含み、
前記広告情報表示ステップは、前記広告情報取得履歴保存ステップによって保存された履歴に基づいて、複数の広告情報の中から選択された所定の広告情報を表示することを特徴とする広告情報管理方法。
【発明の詳細な説明】
【技術分野】
【０００１】
本発明は、ネットワークを通して送信される広告情報の管理を行う広告情報管理装置等に関し、特に、ネットワークに接続された画像形成装置から画像情報に付加して送信される広告情報の管理を行う広告情報管理装置及び広告情報管理方法に関するものである。
【背景技術】
【０００２】
近年、印刷装置やＭＦＰ（Multi Function Printer：複合機）などの画像形成装置からネットワークを通して画像データを送信するとき、その画像データに広告情報などを付加して送信する技術が普及している。例えば、ユーザが、店舗などに設置されている印刷装置から画像データや音楽データを携帯電話機などへ送信しようとすると、それらの画像データや音楽データとともにその店舗や近隣商店街や商業施設などの広告情報が付加されて携帯電話機などへ送信される技術が開示されている（例えば、特許文献１参照。）。
【０００３】
このようにして、画像データなどに広告情報を付加して送信することにより、スポンサやエージェントは広告料収入を見込むことができる。
【特許文献１】特開２００５−７１２７１号公報
【発明の開示】
【発明が解決しようとする課題】
【０００４】
しかしながら、上記従来の技術は、ユーザが店舗などに設置された印刷装置を用いて印刷を実行してデータを送信しようとすると、ユーザが望むと望まないとに関わらず、画像データや音楽データに対して広告情報が付加されて電子メールで送信されてしまう。そのため、必然的に、印刷装置から送信されるデータ容量が大きくなり、受信側である携帯電話機は望んでいない大きなデータを受信することになる。
【０００５】
その結果、携帯電話機側は大きなデータを開く処理を行うために長い時間がかかってしまう。また、携帯電話機側にとっては大きなデータを受信しなければならないために通信状態が輻輳するおそれもある。さらには、携帯電話機側は、データ容量の大きい情報を受信しなければならないために必然的に通信費が高くなってしなう。
【０００６】
本発明は上述した問題点を解決するためになされたものであり、ユーザが所望する広告情報のみを取得することができる広告情報管理装置及び広告情報管理方法を提供することを目的とする。
【課題を解決するための手段】
【０００７】
上述した課題を解決するため、本発明の一態様に係る広告情報管理装置は、一つ又は複数の広告情報を取得して表示する広告情報表示部と、ＩＣカードに記録された情報を読み取ると共に該ＩＣカードに新たな情報を書き込むリード・ライト部とを備え、前記リード・ライト部は、前記ＩＣカードに記録された情報を読み取ることにより、前記広告情報表示部によって表示されている広告情報を前記ＩＣカードに送信するものである。
【０００８】
また、本発明の一態様に係る広告情報管理方法は、広告情報の管理をコンピュータに実行させる広告情報管理方法であって、一つ又は複数の広告情報を取得して表示する広告情報表示ステップと、ＩＣカードに記録された情報を読み取る情報読み取りステップと、前記情報読み取りステップによって前記ＩＣカードに記録された情報を読み取ることにより、前記広告情報表示ステップによって表示されている広告情報を前記ＩＣカードに送信する送信ステップとを含んでなるものである。
【発明の効果】
【０００９】
以上に詳述したように本発明によれば、ユーザが所望する広告情報のみを取得することができる広告情報管理装置及び広告情報管理方法を提供することができる。
【発明を実施するための最良の形態】
【００１０】
以下、本発明の実施の形態に係る広告情報管理システムについて、図面を参照しながら詳細に説明する。
【００１１】
＜実施の形態１＞
図１は、本発明の実施の形態１の広告情報管理システムを示す概念図である。
【００１２】
本実施の形態における広告情報管理システム１は、ネットワーク２に接続された複数の端末装置３−１、３−２、３−３、３−４、…３−ｎ及び広告情報管理サーバ４と、画像形成装置５と、非接触ＩＣカード搭載携帯電話機６と、画像形成装置５に付属するカードリーダ７とによって構成されている。
【００１３】
なお、実施の形態１において、本発明の広告情報管理装置は、画像形成装置５によって構成されている。
【００１４】
端末装置３−１は「店舗情報」を、端末装置３−２は「書籍情報」を、端末装置３−３は「新曲情報」を、端末装置３−４は「イベント情報」を、それぞれ、ネットワーク２を介して広告情報管理サーバ４へ送信する機能を有している。
広告情報管理サーバ４は、各端末装置３−１〜３−ｎから受信した情報（例えば、店舗情報、書籍情報、新曲情報、及びイベント情報）を整理して広告情報として画像形成装置５へ送信する機能を有している。
【００１５】
画像形成装置５は、広告情報管理サーバ４で整理された広告情報を受信し、それらの広告情報をタッチパネルディスプレイ（図４参照）またはコントロールパネルに表示すると共に、それらの広告情報を自己が付属するカードリーダ７より外部に電波を用いて送信出力する機能を有している。
【００１６】
ここで、タッチパネルディスプレイ又はコントロールパネルは本発明の広告情報表示部又は広告情報表示手段を構成している。
【００１７】
非接触ＩＣカード搭載携帯電話機（以下、単に携帯電話機ということもある）６は、タッチパネルディスプレイに表示されている広告情報をカードリーダ７を介して画像形成装置５から受信して記録する機能を有している。
【００１８】
ここで、カードリーダ７は本発明のリード・ライト部又はリード・ライト手段を構成している。
【００１９】
なお、「店舗情報」、「書籍情報」、「新曲情報」、及び「イベント情報」の構成形態は、画像形成装置５のタッチパネルディスプレイに表示させるための簡単な紹介文、画像、動画、及びカードリーダ７を介して携帯電話機６へ送信するための情報としてモバイル用ＷｅｂページへのＵＲＬを含んでいる。
【００２０】
次に、図１に示す広告情報管理システムの動作について説明する。
【００２１】
端末装置３−１〜３−ｎから、それぞれ、近隣の飲食店や本屋などの「店舗情報」、近日発売予定や売り上げランキング上位の「書籍情報」及び「新曲情報」、近日開催予定のコンサートなどの「イベント情報」などが、ネットワーク２を介して広告情報管理サーバ４へ送信されると、それらの情報は、広告情報管理サーバ４で整理された後に画像形成装置５へ広告情報として送信される。
【００２２】
画像形成装置５は、自己に搭載されているタッチパネルディスプレイ等を用いて、「店舗情報」、「書籍情報」、「新曲情報」、及び「イベント情報」などを個別の広告情報として表示する。
【００２３】
そして、非接触ＩＣカードを搭載した携帯電話機６をカードリーダ７にかざすことにより、そのタイミングで、携帯電話機６は画像形成装置５のタッチパネルディスプレイまたはコントロールパネルに表示されている広告情報（例えば、新曲情報）を取得することができる。
【００２４】
ここで、携帯電話機６が取得できる広告情報には、単に、後で情報内容を確認することができる情報だけではなく、クーポンを含めることができ、また取得した広告情報を用いてチケットなどの購入手続きを行うこともできる。
【００２５】
なお、携帯電話機６は、あらかじめ広告情報を管理する管理ソフトウェアを搭載していることを前提とする。また、広告情報管理サーバ４と同一機能を画像形成装置５に備える構成としてもよい。
【００２６】
図２は、図１に示す画像形成装置５のタッチパネルディスプレイが広告情報として店舗情報を表示している画面の一例を示す図である。
【００２７】
このタッチパネルディスプレイ画面には、符号２０１で示すように、「非接触ＩＣ装置搭載携帯電話機をかざすことにより、クーポンを受け取ることができます。」といったテロップを表示することにより、ユーザに対して利用方法を伝えることができる。また、画像または動画２０２には、店舗の外観や内装を表示することができる。さらに、紹介文２０３としては、お勧め商品やその商品を取り扱っている店舗の住所などを表示することができる。
【００２８】
また、ここで表示されている広告情報は、タッチパネルディスプレイのボタン２０４に触れると次の広告情報（例えば、書籍情報）に切り替えられることができる。なお、タッチパネルディスプレイのボタン２０４の中に表示された数字は広告情報の表示内容が自動的に切り替わる時間（秒数）を表している。すなわち、この数字が０になった時点で次の広告情報に切り替わる。さらに、タッチパネルディスプレイのボタン２０５に触れると一つ前の広告情報を表示する。また、タッチパネルディスプレイのボタン２０６に触れるとタッチパネルディスプレイのボタン２０４の数字のカウントダウンをストップさせることができる。
【００２９】
つまり、表示中の広告情報が次の広告情報へ切り替わるのを止めることができる。また、タッチパネルディスプレイのボタン２０６をもう一度押すとタッチパネルディスプレイのボタン２０４の数字がカウントダウンを再開する。さらに、タッチパネルディスプレイの一覧ボタン２０７に触れると、ジャンルごとに、直接、ユーザが所望する広告情報を選択する画面を表示することができる。
【００３０】
図３は、携帯電話機６が受信した店舗情報の表示画面の一例を示す図であり、図３（ａ）は取得した広告情報の一覧画面、図３（ｂ）は図３（ａ）の一覧画面で店舗名Ｂを選択したときの画面、図３（ｃ）は図３（ａ）の一覧画面で書籍名Ａを選択したときの画面、をそれぞれ表している。すなわち、図３（ｂ）に示される店舗名Ｂの選択画面において、「詳細画面へ」を選択すると、店舗の住所や商品の価格などの詳細情報が掲載されている画面を、携帯電話機６があらかじめ搭載しているネットワーク機能を用いて取得し表示する。また、図３（ｃ）において「購入画面へ」を選択すると、その書籍の購入手続きを行うことができる画面に進むことができる。
【００３１】
図４は、画像形成装置５のタッチパネルディスプレイ等の表示部が表示する広告情報検索画面の一例を示す図であり、図４（ａ）は広告情報のジャンルを選択する画面、図４（ｂ）は図４（ａ）の広告情報検索画面で書籍のジャンルが選択されたときの詳細画面をそれぞれ示している。すなわち、図４（ａ）の画面は、広告情報を分野ごとに選択できるアイコンが表示されており、例えば、ユーザが『書籍』と表示されているアイコンを選択すると、図４（ｂ）に示すような書籍ジャンルの詳細画面が表示される。図４（ｂ）の画面では、「新着」、「ジャンル」、「売れ筋」、「著書」というタブがあり、検索モードを適宜に切り替えることができる。
【００３２】
このとき、各広告情報の画像、動画などのデータは画像形成装置５には送信されていない。画像形成装置５に送信されるデータは、発売日、著者、タイトルなどといったデータのみである。なお、図４（ａ）、図４（ｂ）の画面は一定時間（例えば６０秒）が過ぎると図２の広告情報画面に戻る。
【００３３】
ここで、タッチパネルディスプレイは本発明の検索部又は検索手段を構成し、図４で示された動作は本発明の検索ステップを構成している。
【００３４】
図５は、図１に示す広告情報管理サーバ４の動作の流れを示すフローチャートである。このフローチャートは、広告情報管理サーバ４が、新しい広告情報を画像形成装置５へ送信するときの広告情報管理サーバ４の動作を示している。
【００３５】
まず、広告情報管理サーバ４のデータベースに記録されている広告情報が記録された日付けを調べ、最近の広告情報から順に若い番号Ｎを割り振って、番号１からＮまでのリストを作成する（ステップＳ１）。なお、若い番号Ｎとは１から始まる自然数とする。
【００３６】
次に、番号がＫ番目の広告情報を画像形成装置５へ送信する（ステップＳ２）。Ｋの初期値は１である。そして、Ｋを１だけインクリメントして、Ｋ＝Ｋ＋１とする（ステップＳ３）。
【００３７】
次に、ステップＳ２でＫ番目の広告情報が画像形成装置５へ送信されてから所定の時間（例えば１０秒）が過ぎているか否かを判断し（ステップＳ４）、過ぎていれば（ステップＳ４、Ｙｅｓ）、ＫがＮ＋１となるまで前述のステップＳ２〜Ｓ４の処理を繰り返す（ステップＳ５，Ｎｏ）。
【００３８】
一方、ＫがＮ＋１となると、全ての番号の広告情報が画像形成装置５へ送信されたとして（ステップＳ５，Ｙｅｓ）、広告情報管理サーバ４による広告情報の送信動作を終了する一方、画像形成装置５側からの割り込みとしてのシャットダウンの有無を判定する（ステップＳ６）。
【００３９】
シャットダウンがあると（ステップＳ５、Ｙｅｓ）、図２に示すタッチパネルディスプレイ画面の「一覧」アイコンが選択されて割り込み操作が行われたと判断し、その操作に従って処理を行う（ステップＳ７）。
【００４０】
図６（ａ）は、画像形成装置５の広告情報表示動作の流れを示すフローチャートである。図５のフローチャートにおけるステップＳ２の処理によって、画像形成装置５が広告情報管理サーバ４からＮ番目の広告情報を受信し（ステップＳ１１）この広告情報を自己に付属されているタッチパネルディスプレイに表示する（ステップＳ１２）。
【００４１】
これによって、画像形成装置５は図２に示すような広告情報をタッチパネルディスプレイに表示することができるので、前述のように図３、図４のような画面へと展開することができる。
【００４２】
図６（ｂ）は、画像形成装置５の広告情報送信動作の流れを示すフローチャートである。カードリーダ７によりＩＣカードを検出することで携帯電話機がかざされたことを検知すると（ステップＳ１３：情報読み取りステップ）、表示中の広告情報をＩＣカードに送信する（ステップＳ１４：送信ステップ）。
【００４３】
＜実施の形態２＞
実施の形態２では、図１に示す広告情報管理システムにおける画像形成装置５にＯＣＲ機能を付加した構成について説明する。図７は、本発明の実施の形態２に適用される広告情報管理システム１のブロック図である。
【００４４】
図７に示す画像形成装置５は、タッチパネルディスプレイ１１に配置された表示部１２及び操作部（キーボード）１３、画像選択部１４、操作部１３から入力されたキー入力情報及び画像選択部１４から入力されたＯＣＲ情報を取り扱う制御部１５、及びカードリーダ７によって構成されている。なお、広告情報管理サーバ４には複数の画像形成装置５が接続されている。
【００４５】
画像選択部１４はスキャナ（画像読み取り部又は画像読み取り手段）とＯＣＲ機能を有し、スキャナにより原稿をスキャンしたときにＯＣＲで文字認識を行うと共に、所定の文字検索を行い、例えば、書籍のタイトル名や著者名、あるいは頻度の高い文字列などを広告情報の検索キーとして取得する。そして取得された検索キーは、制御部１５を介して広告情報管理サーバ４へ送信する。
【００４６】
ここで、画像選択部１４は、本発明のＯＣＲ部又はＯＣＲ手段を構成している。
【００４７】
検索キーを受信した広告情報管理サーバ４は、該検索キーを用いて、自己のデータベースに記録されている広告情報（例えば書籍情報）のタイトル、紹介文、文字列などを検索し、検索キーと関連のある広告情報を取得する。そして、広告情報管理サーバ４は、取得された広告情報を画像形成装置５に返信する。
【００４８】
この広告情報は、例えば、図４（ｂ）に示されるように、広告対象商品に関連する、例えば「発売日」、「著者」、「タイトル」、「出版社」などをリストにして表示されることができる。
【００４９】
そして、画像形成装置５が受信した広告情報のリストは、ユーザが携帯電話機６をカードリーダ７にかざすことにより、携帯電話機６内のＩＣカードに送信される。
【００５０】
図８は、本発明の実施の形態２において、図７に示す画像形成装置５の画像選択部１４がＯＣＲ機能によって取得した検索キーに基づいて取得したお勧め書籍リストの画面の一例を示す図である。
【００５１】
図９は、本発明の実施の形態２の全体動作を示すフローチャートである。
【００５２】
まず、画像形成装置５は、ＯＣＲを実行する設定と書籍リストを作成する設定を行い、ＯＣＲ機能を有効にしてから原稿のスキャンを行う（ステップＳ２１）。次に、画像形成装置５はタイトルや頻度の多い文字列を検索キーとして取得し（ステップＳ２２：ＯＣＲ認識ステップ）、取得した検索キーを広告情報管理サーバ４へ送信する（ステップＳ２３）。
【００５３】
次に、広告情報管理サーバ４は、画像形成装置５から受信した検索キーを用いて関連する広告情報の検索を行う（ステップＳ２４：キー検索ステップ）。そして、関連する広告情報として「書籍情報」が検索されると（ステップＳ２５、Ｙｅｓ）、広告情報管理サーバ４は書籍リストを作成し（ステップＳ２６）、作成した書籍リストを画像形成装置５へ送信する（ステップＳ２７）。これによって、ユーザは検索精度の高い広告情報を取得することができる。「書籍情報」が検索されない場合には（ステップＳ２５、Ｎｏ）、処理を中止する。
【００５４】
上述した実施の形態２では、広告情報管理サーバ４に本発明のキー検索部（キー検索手段）を持たせたが、画像形成装置５側に持たせても良い。なお、実施の形態２のように広告情報管理サーバ４に本発明のキー検索部（キー検索手段）を持たせるようにした場合、画像形成装置と広告情報管理サーバにより本発明の広告情報管理装置が構成される。
【００５５】
＜実施の形態３＞
図１０は、本発明の実施の形態３に適用される広告情報管理システムの概念図である。図１０に示す実施の形態３の広告情報管理システム１ａは、図１に示す実施の形態１の広告情報管理サーバシステム１に対して個人認証サーバ８が追加された構成となっている。
【００５６】
個人認証が可能な（ユーザ認証部またはユーザ認証手段を有する）画像形成装置５を用いることにより、カードリーダ７に携帯電話機６をかざしたことがあれば、そのとき、携帯電話機６に対応した一意なコードとユーザが所望する広告情報に関する情報が個人認証サーバ８に記録される（広告情報取得履歴保存ステップ）。そして、次回からは、カードリーダ７に携帯電話機６をかざすと、個人認証サーバ８に記録された情報に関連する広告情報を新着情報の前に表示させることができる。
【００５７】
なお、この個人認識サーバ８は画像形成装置５内に備えられるようにしても良い。
【００５８】
図１１は、図１０に示す広告情報管理システム１ａにおいて、ユーザ認証後の広告情報の流れを示すフローチャートである。
【００５９】
まず、ユーザがカードリーダ７に対して携帯電話機６をかざす（ステップＳ３１）。これによって、個人認証サーバ８は、自己が所有する個人認証モジュールによって、携帯電話機６を一意に特定可能なコードを画像形成装置５のカードリーダ７を介して読み取る（ステップＳ３２）。
【００６０】
さらに、個人認証サーバ８は、携帯電話機６から読み取ったコードが既に記録さているか否かを判定する（ステップＳ３３）。ここで、過去に広告情報を取得したことがあれば（ステップＳ３３、Ｙｅｓ）、個人認証サーバ８は、ステップＳ３２で読み取ったコードに基づいて以前に取得された広告情報（広告情報取得履歴保存ステップで取得されて保存された広告情報）を取得する（ステップＳ３４）。
【００６１】
さらに、個人認証サーバ８は、ステップＳ３４で取得した広告情報に関連のある広告情報を広告情報管理サーバ４から取得する（ステップＳ３５）。
【００６２】
このとき、対象となる広告情報は、ステップＳ３４で取得した広告情報より新しい情報である。そして、個人認証サーバ８に記録されている広告情報をステップＳ３５で取得した広告情報と入れ替える。すなわち、個人認証サーバ８は、自己に登録されている前回までの広告情報を更新する（ステップＳ３６：広告情報取得履歴保存ステップ）。
【００６３】
なお、ステップＳ３３で、過去に広告情報を取得したことがなければ（ステップＳ３３、Ｎｏ）、個人認証サーバ８は、携帯電話機６が初めて広告情報を取得したものと見なして、その広告情報とコードを対応させて記録する（ステップＳ３７）。
【００６４】
実施の形態３においては、個人認証サーバ８に、本発明の広告情報取得履歴保存部又は広告情報取得履歴保存手段、及び広告情報選択部又は広告情報選択手段を持たせたが、画像形成装置５側に持たせても良い。なお、本発明の広告情報取得履歴保存部又は広告情報取得履歴保存手段を個人認証サーバ８に持たせる場合は、画像形成装置５と個人認証サーバ８とにより本発明の広告情報管理装置が構成される。
【００６５】
本実施の形態で説明した広告情報表示手段、リード・ライト手段、検索手段、画像読み取り手段、ＯＣＲ手段、ユーザ認証手段、及び広告情報取得履歴保存手段は、実施の形態に示したフローチャートにより説明した広告情報管理方法をコンピュータに実行させるプログラムにも適用されることができる。このプログラムはコンピュータに読み取り可能な記録媒体に記録され、コンピュータによって読み取られて、本発明の広告情報管理方法をコンピュータに実行させる機能を有する。
【００６６】
このような機能に関して、本実施の形態では、装置内部に発明を実施する機能が予め記録されている場合で説明したが、これに限らず同様の機能をネットワークから装置にダウンロードしてもよいし、同様の機能を記録媒体に記憶させたものを装置にインストールしてもよい。記録媒体としては、ＣＤ−ＲＯＭ等プログラムを記憶でき、かつ装置が読み取り可能な記録媒体であれば、その形態は何れの形態であってもよい。また、このように予めインストールやダウンロードによって得られる機能は、装置内部のＯＳ（オペレーティング・システム）等と協働してその機能を実現させるものであってもよい。
【図面の簡単な説明】
【００６７】
【図１】本発明の実施の形態１に適用される広告情報管理システムの概念図である。
【図２】図１に示す画像形成装置５のタッチパネルディスプレイが広告情報として店舗情報を表示している画面の一例を示す図である。
【図３】（ａ）は、携帯電話機６が受信した店舗情報の表示画面の一例を示す図であって、取得した広告情報の一覧画面である。（ｂ）は、図３（ａ）の画面で店舗名Ｂを選択したときの画面である。（ｃ）は、図３（ａ）の画面で書籍名Ａを選択したときの画面である。
【図４】（ａ）は、携帯電話機６が表示する広告情報検索画面の一例であって、広告情報のジャンルを選択する画面である。（ｂ）は、図４（ａ）の画面で書籍のジャンルが選択されたときの詳細画面である。
【図５】図１に示す広告情報管理サーバ４の動作の流れを示すフローチャートである。
【図６】（ａ）は、画像形成装置５の広告情報表示動作の流れを示すフローチャートである。（ｂ）は、画像形成装置５の広告情報送信動作の流れを示すフローチャートである。
【図７】本発明の実施の形態２に適用される広告情報管理システム１の一部詳細図であり、図１に示す画像形成装置５をＭＦＰとしたときの内部構成を示すブロック図である。
【図８】本発明の実施の形態２において、図７に示す画像形成装置５の画像選択部１４がＯＣＲ機能によって取得したお勧め書籍リストの画面の一例を示す図である。
【図９】本発明の実施の形態２において、図７に示す画像形成装置５の画像選択部１４がＯＣＲ機能によって書籍リストを作成する処理の流れを示すフローチャートである。
【図１０】本発明の実施の形態３に適用される広告情報管理システムの概念図である。
【図１１】図１０に示す広告情報管理システム１ａにおいて、ユーザ認証後の広告情報の流れを示すフローチャートである。
【符号の説明】
【００６８】
１  広告情報管理システム、１１  タッチパネルディスプレイ、１２  表示部、２  ネットワーク、３−１〜３−ｎ  端末装置、４  広告情報管理サーバ、５  画像形成装置、６  携帯電話機、７  カードリーダ。
【図１】
2008203838.tif 000003
【図２】
2008203838.tif 000004
【図３】
2008203838.tif 000005
【図４】
2008203838.tif 000006
【図５】
2008203838.tif 000007
【図６】
2008203838.tif 000008
【図７】
2008203838.tif 000009
【図８】
2008203838.tif 000010
【図９】
2008203838.tif 000011
【図１０】
2008203838.tif 000012
【図１１】
2008203838.tif 000013